(57)【要約】構造化ケーブル敷設工具（１０）は、複数のケーブル軸を支える軸取り付け具を支える外枠基部（２１、２２）であって、使用できる状態では広げられ、輸送できる状態では小さくまとめられた外枠基部と、当該外枠基部内で支えられた複数の内枠アーム（３０）であって、使用できる状態では、広げられた外枠に対して直立垂直に固定可能であり、輸送できる状態では、小さくまとめられた外枠と同じ広がりをもって固定可能である内枠アームと、内枠アームの間で支えられたケーブル選別スレッダー（５０）と、内枠アームにより支えられ、ケーブル選別スレッダーの下に配置された回転可能なテープセグメント化スピンドル（４０）と、を含む。
2008518574.tif 000002
【特許請求の範囲】
【請求項１】
ｉ）ステージバー、ｉｉ）一対の外側要素（２１、２２）、及びｉｉｉ）一対の内側要素からなる全体の外枠（２０）であって、
前記一対の外側要素は前記一対の内側要素と接続され、前記一対の内側要素はｉ）前記内側要素の夫々の長さが対応する前記外側要素の夫々の長さに平行な状態である小さくまとめられた位置から、ｉｉ）前記内側要素が縦長手方向において前記外側要素と並べられた状態である伸長位置に再配置可能である外枠と、
前記外枠内に設けられた一対の内枠アーム（３０）であって、
前記一対の内枠アームは、使用できる状態において前記外枠に対して直立状態であり、
前記一対の内枠アームは、輸送できる状態において前記外枠と同じ広がりをもち、
前記ステージバーは、前記輸送できる状態において、第１位置で前記一対の外側要素に接続され、
前記ステージバーは、前記外枠が複数のケーブルリールを夫々取り付けた複数のケーブル軸を支持するように設定された前記使用できる状態において、第２位置で前記一対の内側要素に接続されている一対の内枠アームと、
前記一対の内枠アームの中間に固定されたケーブル選別スレッダー（５０）と、
を備え、
前記工具は、ｉ）前記第１位置から第２位置への前記ステージバーの再配置、ｉｉ）前記小さくまとめられた位置から前記伸長位置への前記内側要素の再配置、及びｉｉｉ）前記外枠と同じ広がりを持った状態から前記外枠に直角である状態への前記一対の内枠アームの移動により、前記輸送できる状態から前記使用できる状態に再構成可能である
ことを特徴とするケーブル敷設工具（１０）。
【請求項２】
前記ケーブル選別スレッダーは、前記一対の内枠アームの最上端にあり、
前記ケーブル選別スレッダーは、横断面がＬ字形であって、垂直断面が水平断面に結合されており、
前記垂直断面は、個々のケーブルが前記垂直断面に設けられた複数の穴のうち夫々対応する穴を通過する大きさである複数の穴（５２）を備える
ことを特徴とする請求項１に記載の工具。
【請求項３】
前記一対の内枠アームにより支えられ、前記ケーブル選別スレッダーの下に設置された、複数のテープロールを隣接して取り付けるための着脱可能なテープロール支柱（６０）と、
前記一対の内枠アームにより支えられ、前記テープロール支柱の下に設置された回転可能なテープセグメント化スピンドル（４０）と、
を更に備えることを特徴とする請求項２に記載の工具。
【請求項４】
前記テープロール支柱は、前記隣接するテープロールに間隔をあけるための複数の分離要素（６１）を備えることを特徴とする請求項３に記載の工具。
【請求項５】
前記ステージバーはチャネル要素であり、
前記一対の外側要素及び前記一対の内側要素は、夫々、外側チャネル要素及び内側チャネル要素であり、
第１の前記外側チャネル要素は、第１端部においてベースチャネル要素（２３）により第２の前記外側チャネル要素の第１端部に接続され、
前記第１外側チャネル要素の第２端部は、第１ヒンジ（２６）により第１の前記内側チャネル要素の第１端部に回転可能に接続され、
前記第２外側チャネル要素の第２端部は、第２ヒンジ（２６）により第２の前記内側チャネル要素の第１端部に回転可能に接続され、
前記複数の内側チャネル要素は、前記第１及び第２ヒンジを介して、前記折畳位置から、前記内側チャネル要素が前記外側チャネル要素とともに縦長手方向に並べられた状態の前記伸長位置まで再配置可能である
ことを特徴とする請求項１に記載の工具。
【請求項６】
前記第１及び第２外側チャネル要素は、夫々のチャネルが外側に向いたオープンウェブ部位を有しており、
第２位置で接続された前記ステージバーは、自己整合した複数のケーブルリールを垂直に支える大きさであり、単一のケーブル軸に取り付けられる状態の上向きウェブ部位を含む
ことを特徴とする請求項５に記載の工具。
【請求項７】
前記折畳位置では、前記第１及び第２内側チャネル要素は、互いに内側に向いたオープンウェブ部位を有しており、
前記伸長位置では、前記複数の内側チャネル要素の前記オープンウェブ部位は、外側を向くことを特徴とする請求項６に記載の工具。
【請求項８】
前記内側及び外側要素の上面は、複数のケーブル軸を固定して支えるための複数の軸取り付け具を受ける複数の軸取り付け領域を備え、前記複数の軸取り付け具は、ケーブルを引く間、前記ケーブル軸及び取り付けられたケーブルリールが固定位置にとどまるように前記ケーブル軸をしっかり支えることを特徴とする請求項１に記載の工具。
【請求項９】
前記複数の軸取り付け具は、垂直に伸長可能な複数のサドル（３４）を備え、
各サドルは、対応するケーブル軸の端部を載せる
ことを特徴とする請求項８に記載の工具。
【請求項１０】
前記内側及び外側要素の上面は、複数の取り付け穴（２９）を備え、
各サドルは、一対の前記取り付け穴に取り付けられる
ことを特徴とする請求項９に記載の工具。
【請求項１１】
前記一対の内枠アーム及び前記外枠の中間にある複数のスペーサ（３５）と、
各スペーサに設置されたピボット（３１）であって、
前記一対の内枠アームの夫々は、前記複数のスペーサのうちの一つ及び対応するピボットを介して、前記外枠に回転可能に装着されるピボットと、
前記一対の内枠アームを静止位置に保持するために、前記一対の内枠アーム及び前記外枠において、択一的な複数組の位置合わせされた開口部（３３）を係合する保持器（３２）であって、
第１組の前記位置合わせされた開口部では、前記係合した保持器は、前記使用できる状態では、前記外枠に対して直角に前記一対の内枠アームを保持し、第２組の前記位置合わせされた開口部では、前記係合した保持器は、前記輸送できる状態では、前記外枠と同一の広がりをもって前記一対の内枠アームを保持する保持器と、
を更に備え、
前記保持器は、前記位置合わせされた開口部から取り外されると、前記一対の内枠アームが一の位置から別の位置まで回転できる
ことを特徴とする請求項１に記載の工具。
【請求項１２】
前記ベースチャネル要素に装着された複数の車輪（７０）と、
前記ケーブル選別スレッダーの前記水平断面にスナップ式に取り付けられ、前記水平断面における長手方向の溝に沿って移動可能であるケーブル計測器（８０）と、
を更に備えることを特徴とする請求項５に記載の工具。
【請求項１３】
前記テープセグメント化スピンドルを着脱可能に係合するハンドル（４１）であって、ユーザが当該ハンドルを操作することにより前記テープセグメント化スピンドルが移動するハンドルを更に備え、
前記テープセグメント化スピンドルは、平行に間隙を介した複数の羽根（４２）を備え、当該複数の羽根は、長手方向に続いており、前記一対の内枠アームにわたって円筒形状を形成し、
前記複数の羽根は、前記テープセグメント化スピンドルから取り外され、前記ケーブル選別スレッダーの最上端の上に載せられる
ことを特徴とする請求項３に記載の工具。
【請求項１４】
前記複数の羽根はＬ字形であり、
前記テープセグメント化スピンドルは、複数のディスクアセンブリ（４３、４４）を備え、
前記複数のディスクアセンブリの夫々は、複数の半径スロット（４５）を有する基盤ディスク（４８）を備え、いくつかのスロットは、羽根保持クリップ（４６）を含み、
各羽根は、前記前記ディスクアセンブリにおける位置合わせされた複数のスロットに挿入可能であり、前記複数のクリップが挿入された羽根を保持する
ことを特徴とする請求項１３に記載の工具。
【請求項１５】
垂直断面が水平断面に隣接したケーブル選別スレッダー（５０）であって、前記垂直断面上に間隔をあけて複数のケーブルリール記録力低減穴（５２）を有し、前記複数の穴は、通過情報信号ケーブルに合わせた大きさであり、また同時に前記ケーブルがリール又はボックスから外れる際に前記ケーブルに存在するケーブルリール記憶力を十分取り除く大きさであるので、前記複数の穴を通った前記ケーブルの有効長は、前記リール又はボックスから引き出された同一ケーブルであっても前記複数の穴を通らないケーブルの場合と比較して、少なくとも１０％増加するケーブル選別スレッダーを備えることを特徴とするケーブル敷設工具（１０）。
【請求項１６】
複数の内枠アームであって、前記ケーブル選別スレッダーは当該内枠アームの間で支えられる複数の内枠アームと、
前記複数の内枠アームにより支えられ、前記ケーブル選別スレッダーの下に設定された回転可能なテープセグメント化スピンドル（４０）と、
を更に備えることを特徴とする請求項１５に記載の工具。
【請求項１７】
広げられた使用できる状態と小さくまとめられた輸送できる状態との間で再構成可能な基部（２０）を更に備え、
前記複数の内枠アーム（３０）は、前記基部に支えられ、
前記一対の内枠フレームは、前記使用できる状態では前記外枠に直角に固定可能であり、前記輸送できる状態では前記外枠と同じ広がりをもって固定可能であることを特徴とする請求項１６に記載の工具。
【請求項１８】
前記基部は、外枠を備え、
前記外枠は、第１端部においてベースチャネル要素（２３）により第２の外側チャネル要素（２２）の第１端部に接続された長手方向の第１外側チャネル要素（２１）を備え、
前記第１外側チャネル要素（２１）の第２端部は、ヒンジ（２６）により長手方向の第１内側チャネル要素（２４）の第１端部に接続され、前記第２外側チャネル要素（２２）の第２端部は、別のヒンジ（２６）により長手方向の第２内側チャネル要素（２５）の第１端部に接続され、
前記第１及び第２内側チャネル要素は、折畳位置から、前記内側及び外側チャネル要素が長手方向に並べられた状態の伸長位置まで、回転開放することにより再配置可能であり、前記伸長位置は前記工具基部の長手方向の長さを増加させ、
前記第１及び第２チャネル要素と、前記ベースチャネル要素とは、外側に向かうオープンウェブ部位を有することを特徴とする請求項１７に記載の工具。
【請求項１９】
複数のケーブルリールを取り付けた複数のケーブル軸を載せる複数の取り付け点として働く、前記第１及び第２チャネル要素の上面に装着された複数の軸サドルを更に備えることを特徴とする請求項１８に記載の工具。
【請求項２０】
前記テープロール支柱は、複数のテープロールを、前記一対の内枠アームの幅にわたって隣り合わせに取り付け、
前記テープセグメント化スピンドルは、円筒形状を形成する平行に間隙を介した複数の羽根（４２）を備え、当該複数の羽根は前記スピンドルから脱着可能であり、取り外された羽根は、前記ケーブル選別スレッダーの最上端の上に載せられる大きさであり、
前記複数の羽根は、横断面において平坦ではなく、
前記テープセグメント化スピンドルは、更に複数のディスクアセンブリを備え、各ディスクアセンブリは、複数の半径スロット（４５）を備え、いくつかのスロットは、当該スロット内に挿入された羽根を摩擦で固定するための、隣接羽根保持クリップ（４６）を有することを特徴とする請求項１８に記載の工具。
【発明の詳細な説明】
【技術分野】
【０００１】
本発明は、２００４年１０月２２に出願された米国仮出願６０／６２０，６６４の優先権を主張する。その開示は本願に完全に組み込まれる。
【０００２】
本発明は、ケーブル敷設の連続配置システムと、配置された構造化ケーブルのケーブルリール記憶力（リール硬化）を除去又は少なくとも減少させ、また先行技術に比べて効率よく労働時間及び原料費を省き、誤差を低減する当該システムに係る工具とに関する。
【背景技術】
【０００３】
当該工具は、構造化ケーブルとともに使用すると都合がよいが、これに限らず、電気ケーブル、またはセキュリティケーブル等のその他のケーブルとともに用いてよい。
【発明の開示】
【課題を解決するための手段】
【０００４】
本発明の第１の態様は、多数のケーブルを扱う際に職人の効率を上げつつ、同時に複数のリール又はケーブルボックスから離されたケーブルのケーブルリール記憶力を除去（又は減少）させるように、長距離にわたって多くの場所へ構造化ケーブル敷設を連続配置することにより職人を支援する、構造化ケーブル敷設システム及び工具に関する。ケーブルリール記憶力を除去すると、有利なことには、引き出されたケーブルは、頭上で水平に走る際に平坦に設置でき、非常に長いケーブルランを作成する際に必要なケーブルの長さを短くする。また、ケーブルの引っ張りを容易にし、引き出されたケーブルの有効長を長くできる。
【０００５】
本発明の他の態様は、職人が、使用されている個々のケーブルを識別する際に支援するテープシステムを用いて、多数多様なケーブル敷設タイプを調整及び識別することで、多数の場所に多数のケーブルを体系的に組織化、測定、識別、及び設置するような構成を有する、ケーブル敷設システム及び工具に関する。ケーブル敷設工具直後のケーブルの標識化及び組織化により、誤差が回避され、効率が向上する。
【０００６】
さらに本発明の他の態様は、輸送と最終的な現場での組み立てとを簡略化するために構成されたケーブル敷設システム及び工具に関する。
【０００７】
本発明の更なる態様は、多数のサイズのリールやボックスを含む構造化ケーブル梱包におけるサイズ及び主なタイプの全てを取り扱うケーブル敷設システム及び工具に関する。
【０００８】
本発明の更なる態様は、各種サイズのケーブル敷設工具が、手元での仕事に合わせた携帯用工具という解決策を利用可能とする設計を提供することによる拡張可能システム及び工具である。この拡張可能の態様は、「変更及び再構成」任務及びその他の小規模設定に適切な小型の手持ち装置と、主要設定任務に適切な大型モデルとの両方を考慮しており、両方を小さくまとめて（例えば、折り畳んで）、輸送を容易にするのにふさわしい小型ユニットにすることができる。
【０００９】
本発明のこれらの態様を実現する特定の構造について、以下に開示する。本発明のこれら上記の態様は用例であり、これに限定されるものではなく、当業者は、以下の開示及び図面から、本発明のその他の利点も理解するであろう。
【発明を実施するための最良の形態】
【００１０】
以下の開示は、概して図面に適用される。任意の個々の図面に対する具体的な参照は、関連する開示を明確にするためのものであり、これに限定されない。
【００１１】
工具１０は、二つの主要状態の間で再構成可能である。即ち、ｉ）使用できる状態（使用状態）とｉｉ）輸送できる状態（輸送状態）である。輸送できる状態では、工具は、建物の出入り口を通り抜けるように小さくまとめられる。図１は、ほぼ使用できる状態を示す。図２及び図３は輸送できる状態を示す。図９は使用できる状態を示す。使用できる状態は、限定空間で使用する状態でもよい。よって、以下に説明する状態は限定的ではなく、本発明の柔軟な利用については当業者には明らかであろう。
【００１２】
工具１０は、当該工具１０が使用できる状態にある場合に工具基部として働く、全体の外枠２０を備える。外枠２０は、回転可能な一対の内枠アーム３０（回転運動は本質的な特徴ではない）を支える。外枠２０が床面上に平らに置かれた工具１０を示す図９を参照。
【００１３】
一対のピボット３１は、外枠２０に装着されている。図１に、一対のピボット３１で外枠２０内に回転可能に設けられた、一対の回転可能な内枠アーム３０を示す。
【００１４】
一対の内枠アーム３０は、図１において、外枠２０に対して直立状態、例えば直交して示されている。一対の内枠アーム３０は、図２において、輸送できる状態では、外枠２０と同一の広がりをもって並んで示されている。
【００１５】
一対の内枠アーム３０は、個々の内枠アーム３０間でケーブル選別スレッダー（糸通し器）５０（ケーブル選別スレッダーワークステーション５０とも称する）を支える。ケーブル選別スレッダー５０は、横断面がＬ字形であって、垂直断面が水平断面に結合されてよい。図１、図４及び図５を参照。このＬ字形は、内枠アーム３０の上部に剛性を付加するだけでなく、支持／誘導面をケーブル計測器８０に提供する。
【００１６】
ケーブル選別スレッダー５０はまた、フィン保持板５３と、この板５３を垂直断面に押し付ける保持要素５４、例えば、クランプとを含む。
【００１７】
ケーブル選別スレッダー５０の下で、一対の内枠アーム３０は、回転可能なテープセグメント化スピンドル４０及びテープロール支柱６０も支える。図６は、回転可能なテープセグメント化スピンドル４０をより詳細に示す。
【００１８】
図７は、テープロール支柱６０をより詳細に示す。テープロール支柱６０は、隣接する複数のテープロールに間隔をあける複数の分離要素６１を含んでいてよい。
【００１９】
外枠２０は、第１端部においてベースチャネル要素２３により長手方向の第２外側チャネル要素２２の第１端部に接続されている長手方向の第１外側チャネル要素２１を備える。
【００２０】
第１外側チャネル要素２１の第２端部は、ヒンジ（蝶番）２６により、長手方向の第１内側チャネル要素２４の第１端部に接続されている。第１外側チャネル要素２２の第２端部は、別のヒンジ２６により、長手方向の第２内側チャネル要素２５の第１端部に接続されている。これらの内側チャネル要素は、再配置により内側の位置から外側の伸展位置に広がる外枠再配置可能側パネルとして働く。図１と図９を比較。
【００２１】
図１において矢印Ａ及びＢで示されるように、第１及び第２内側チャネル要素は、内側及び外側チャネル要素が長手方向において一列（縦方向）に並べられた状態の伸長位置まで、回転開放することにより広がる。この伸長位置は、工具基部の長手方向の長さを長くするので、複数のケーブルリールが取り付けられたケーブル軸を支えるための取り付け長と安定性が付加される。
【００２２】
一対の外側チャネル要素２１及び２２は、ヒンジ２６により一対の内側チャネル要素２４及び２５に回転可能に接続されているので、一対の内側チャネル要素２４及び２５は、ｉ）小さくまとめられた（例えば、折り畳まれた）位置（図１）から、ｉｉ）伸長位置（図９）まで、回転可能である。小さくまとめられた位置（図１）では、内側要素２４及び２５の夫々の長さは、対応する外側チャネル要素２１及び２２の夫々の長さに隣接して平行である。内側要素２４及び２５は、任意に適切な長さであってよく、外側要素２１及び２２の全長を伸ばす必要はない。
【００２３】
この小さくまとめられた位置は、窮屈な（限定）空間状態で工具を用いるために限定空間で使用する構成でもよい。
【００２４】
伸長位置（図９）では、内側要素２４及び２５は、外側要素２１及び２２とともに縦長手方向(lengthwise longitudinally)に並べられている。
【００２５】
一対のピボット３１は、図１に示すように、複数のスペーサ３５を介して一対の外側要素２１及び２２に装着されている。
【００２６】
図１から図３に示すように、第１及び第２外側チャネル要素２１及び２２、並びにベースチャネル要素２３は、夫々のチャネルが外側に向いたオープンウェブ部位を有している。しかしながら、工具１０はこれに限定されない。
【００２７】
外枠２０は、着脱可能なステージバー２７を更に備える。図１において、ステージバー２７の各端部は、外側及び内側チャネル要素のうちの一つ、即ち、第１端部においては要素２１及び２４のうちの一方、また第２端部においては要素２２及び２５のうちの一方に、着脱可能に装着されている。ステージバー２７は、ネジ柱又はボルトに固定された蝶ナット等の従来の装着部品２８を用いて装着されている。
【００２８】
ステージバー２７を除去すると、内側チャネル要素２４及び２５が小さくまとめられた位置から伸長位置へ容易に再配置する。一旦伸長位置になると、ステージバー２７は、図９に示すように、広げられた内側チャネル要素２４及び２５の自由端に再装着可能である。ステージバー２７は、一つのチャネル要素から構成されてもよい。ステージバー２７が、広げられた内側チャネル要素２４及び２５の端部に再装着される場合、その上向きチャネルは、複数のケーブルリール９１を置く支持体として働く。このように置かれた複数のケーブルリールは、自己整合し、単一のケーブル軸９０（ロッド）上に取り付けられる状態となる。
【００２９】
図１から図３に示すように、第１及び第２内側チャネル要素２４及び２５は、例示した位置に、夫々のチャネルが内側に向いたオープンウェブ部位を有している。しかしながら、内側チャネル要素２４及び２５が伸長位置に移動すると、チャネルのオープンウェブ部位は外側を向く。オープンウェブ部位が外側に向いた伸長位置の内側チャネル要素２４を例示した図９を参照。しかしながら、工具１０はこれに限定されない。外枠も、チャネル要素の使用に限定されない。非チャネル型の適切な要素が、チャネル要素に置換されてもよい。
【００３０】
内側及び外側チャネルの上面で、複数の穴２９は、複数のケーブルリール９１を取り付けたケーブル軸９０を順に載せる複数の軸サドル３４用の取り付け点として働く。明確にするために、図１は単一のサドル３４のみを示しているが、サドル３４は、各ケーブル軸の各端部に設けられる。複数の軸サドル３４は、次にケーブルを引っ張る間、ケーブル軸及びケーブルリールが固定位置にとどまるようにケーブル軸をしっかり支える。外枠２０は、伸長位置において、柔軟な数のケーブルリール及びボックスを支えることができる複数のケーブル軸を支えるのに十分な長さを有している。一の実施例は、４８個のケーブルリールを支える。よって、その実施例では、４８本のケーブルを一度に引くことができるようにケーブルの引きを調整できる。
【００３１】
一対の内枠アーム３０は、夫々、中間スペーサ３５を介して外枠２０に装着されている。これにより、（図２に示すように）一対の内枠アーム３０が外枠２０と同一の広がりを持って配置される場合、即ち、輸送できる状態である場合に、内枠アーム３０の夫々は、内側チャネル要素２４及び２５のうちの一方に隣接して設置できる。
【００３２】
一対の内枠アーム３０は、ピボット３１において回転し、夫々、図示された位置における保持器３２による係合により、図１に示された位置に保持される。複数の保持器３２を解除すると、職人は、図１に示した矢印Ｃの方向に回転させることで、一対の内枠アーム３０を使用中の状態（図１）から輸送できる状態（図２及び図３）に設置できる。よって、一対の内枠アーム３０を外枠２０に係合させる保持器３２は、一対の内枠アーム３０を静止位置に保持する。
【００３３】
保持器３２は、一対の内枠アーム３０を静止位置に保持するために、一対の内枠アーム３０及び外枠２０において、択一的な複数組の位置合わせされた開口部３３と係合する。第１組の位置合わせされた開口部３３では、係合した保持器３２は、（使用できる状態では）外枠２０に対して直角に一対の内枠アーム３０を保持する。第２組の位置合わせされた開口部３３では、係合した保持器３２は、（輸送できる状態では）外枠２０と同一の広がりをもって一対の内枠アーム３０を保持する。
【００３４】
保持器３２が位置合わせされた開口部から取り外されると、一対の内枠アーム３０が一の位置から別の位置まで回転できる。
【００３５】
工具１０が輸送できる状態の場合は、保持器３２は、一対の内枠アーム３０及び外枠の位置合わせされた開口部３３に係合して、図３に示すように一対の内枠アーム３０を外枠２０に固定する。
【００３６】
工具１０は、輸送できる状態では、車輪７０を用いて現場周辺で移動が容易である小型ユニットを提供する。また、工具１０における大型の実施例でも、輸送できる状態の際は、移動しやすいままであり、トラックやエレベータ等の小さい空間に収まる。例示のように、工具１０は、一人の職人が動かせるほど十分小さい。
【００３７】
情報単一ケーブル（例えば、ｃａｔ５、ｃａｔ６、銅線、光ファイバー）を引っ張る場合、そのケーブルは、ねじれは無く完全に平坦であることが理想的である。しかしながら、これは、ケーブルが、巻き取られた又は箱に入れられた状態を記憶してコイル形状を保持するので、ケーブルリール又はケーブルボックスから引き離される際の振舞いではない。よって、先行技術においては、ケーブルがケーブルリール又はケーブルボックスから引き出されると、そのケーブルは、ケーブルのねじれ又は巻き付けの影響を有するケーブル記憶力（ケーブル硬化としても知られる）を含んでいる。
【００３８】
本発明は、このケーブルリール記憶力を取り除く。有利なことに、このケーブルリール記憶力のほとんどが取り除かれ、更に有利なことに、ケーブルリール記憶力のほぼ全部が取り除かれる。
【００３９】
ケーブル選別スレッダー５０は、垂直断面に設けられた複数のケーブルリール記憶力低減穴５２を備える。複数のケーブル９２は、ケーブル選別スレッダー５０の各穴５２を通る。図１及び図９を参照。ケーブル選別スレッダー５０は、複数のケーブルリール／ボックスに対して配置され、またこれらの穴５２は、職人がこれらの穴を介してケーブルを引き、同時にケーブルがリール又はボックスから外れる際にケーブルに存在するケーブルリール記憶力を取り除くことができる大きさである。職人がケーブル選別スレッダーを介してケーブルを引くと、有利なことには、ケーブル選別スレッダーを介してケーブルを引かない場合と比べて必要なケーブル量が減少させるのに十分なケーブルリール記憶力が取り除かれ、また引き出されたケーブルはその他の場合よりも平坦に設置される。よって、穴５２は、通過情報信号ケーブルに合わせた大きさであり、また同時にケーブルがリール又はボックスから外れる際にケーブルに存在するケーブルリール記憶力を十分取り除く大きさであるので、複数の穴５２を通ったケーブルの有効長は、リール又はボックスから引き出された同一のケーブルであっても複数の穴５２を通らないケーブルの場合と比較して、少なくとも１０％増加する。
【００４０】
先行技術では、ケーブルを引っ張ると、引き出されたケーブルにはノット及び／又はよじれがしばしば生じた。これらのノット及び／又はよじれは、ケーブル外被を圧縮し（狭める）、且つ／又は弱める。これは、引き出されたケーブルが、最初は満足のいく評価を得ても後に機能しなくなる可能性があるので、扱いにくい問題である。後に機能しなくなることで、ケーブルはその使用目的には満足できないものとなる。ケーブルが機能しなくなると、その機能不全のケーブルは修理又は交換されなければならない。
【００４１】
穴５２は、ノット又はよじれが穴５２を通過するのを防ぐ大きさであるため、ケーブルをケーブル選別スレッダーを介して引っ張ると、使用状態からノット及びよじれのあるケーブルが除去される。
【００４２】
ケーブル計測器８０は、ケーブル選別スレッダー５０の垂直断面に設けられ、水平断面における長手方向の一又は複数の溝５４を移動する。一又は複数の溝を示す図４及び図５、並びにケーブル選別スレッダー５０に設けられた計測器８０を示す図１を参照。複数の計測器が、水平断面に設けられてもよい。
【００４３】
テープロール支柱６０は、複数のテープロールを、一対の内枠アーム３０の幅にわたって隣り合わせに取り付ける。図７に示すように、テープロール支柱６０は、隣接する複数のテープロールに間隔をあける複数の分離要素６１（例えばＯリング）を含んでよい。
【００４４】
テープセグメント化スピンドル４０は、ユーザが脱着可能なクランクハンドル４１を操作することにより回転する。クランクハンドルは、歯止め４９（又はその代りにクラッチ）を介してセグメント化スピンドル４０上で作動してもよい。歯止めを用いると、ハンドル回転時にスピンドルが特定方向に向かって前方に確実に移動し、且つ確実に後方へ移動することがなくなる。
【００４５】
重要なことに、
テープセグメント化スピンドル４０は、平行に間隙を介した複数の羽根４２を備える。複数の羽根４２は、長手方向に続いており、一対の内枠アーム３０にわたって円筒形状を形成する。複数の羽根４２は、スピンドル４０から取り外され、また取り外された羽根４２は、ケーブル選別スレッダー５０の最上端の上に載せられてよい。
【００４６】
図６に示すように、複数の羽根４２は平面状ではなく、Ｌ字形であってよい。
【００４７】
テープセグメント化スピンドル４０は、大型の実施例では、三つの中心ディスクアセンブリ４３及び４４、即ち、二つの外側ディスクアセンブリ４３と、一つの中間ディスクアセンブリ４４を備える。小型の実施例では、総数が三よりも少ないディスクアセンブリを有してよい。
【００４８】
ディスクアセンブリの夫々は、複数の半径スロット４５からなる。半径スロット４５のうちのいくつかは、基盤ディスク４８に対して例えば複数のハードウェア要素４７によりスロット４５に隣接して固定された羽根保持クリップ４６を含む。いくつかの実施例では、中間ディスクアセンブリのスロットのみがクリップを有する。
【００４９】
各羽根４２は、三つの中心ディスクアセンブリ４３及び４４における位置合わせされた複数のスロット４５に挿入可能である。二つの外側ディスクアセンブリ４３の複数のクリップ４６は、例えば、複数のテープセグメントが羽根４２に貼り付けられ、切断された後に、職人が羽根４２をスロット４５から抜き出すまで、羽根４２を保持する。
【００５０】
従って切断されたテープの長さは、羽根の間隔により決定され、羽根の間隔は、複数のディスク４８の周囲のスロットの間隔により決定される。
【００５１】
図１から図３は、二つの代替位置において、外枠２０に装着された複数の車輪７０を示す。キャスターを車輪７０の代わりにすることができる。車輪ブラケット７１は、ハードウェア７２によりベースチャネル要素２３に固定される。ハードウェア７２は蝶ナットを含んでよい。これにより、車輪ブラケット７１はベースチャネル要素２３からユーザにより脱着可能とされる。
【００５２】
本発明の構造化ケーブル敷設工具１０の一の実施例は、（図９に示すように）使用できる状態に広げられた外枠２０と、（図２に示すように）輸送できる状態に小さくまとめられた（ここでは折り畳まれた）外枠２０とを含む。
【００５３】
図１に例示されるように、内枠アーム３０は、外枠２０内で回転可能に支えられる。上述のように、内枠アーム３０は、広げられた外枠に対して直立垂直な第１の位置（即ち、図９及び図１に示すような使用できる状態の場合）、並びに折り畳まれた外枠と同じ広がりをもつ第２の位置（即ち、図２に示すような輸送できる状態の場合）に固定可能である。
【００５４】
図１に示すように、ケーブル選別スレッダー５０は、内枠アーム３０の間で支えられる。回転可能なテープセグメント化スピンドル４０も、内枠アーム３０により支えられ、ケーブル選別スレッダー５０の下に配置される。
【００５５】
外枠２０は、複数の外側チャネル部材が複数の内側チャネル部材にヒンジで連結された状態が上記に例示されたが、本発明はこれに限定されない。外枠は、小さくまとめられた位置から伸長位置に、又は伸長位置から小さくまとめられた位置に再構成可能である。
【００５６】
この再構成を実現する外枠の代替構成は、本発明の範囲に含まれる。例えば、図１０は、要素内部に要素がある(element-inside-element)代替案を示す。この構成は、外枠と複数のサドル３４の両方に有用である。
【００５７】
複数のサドル３４の場合、要素内部に要素がある構成によってサドルが外枠からひき上げられ、従って複数のケーブル軸９０を床面から高い位置に配置できる。これにより、より大きなサイズのリールを収納する工具の実用性が向上する。
【００５８】
外枠２０の場合、外側チャネル部材２１及び２２は、小さくまとめられた位置では内側チャネル部材２４及び２５を収納する（これらの部材は、一方が他方の内部に同一の広がりを持つ）が、一方、伸長位置では、内側部材は外側部材から広がっている（これらの部材は長手方向に一列に並んでいる）。
【００５９】
（工具の使用）
工具１０は、現場に輸送され、外枠２０を床面に対し平らに配置される。
【００６０】
ステージバー２７は取り除かれ、外枠は折畳位置から伸長位置に、即ち、図１に示す位置から図９に示す位置に変更される。
【００６１】
ステージバー２７は、広げられた外枠２０の端部に装着される（図９を参照）。複数のケーブルリールはステージバー２７上に配置され、単一のケーブル軸を受け入れる。そして、このように構成された各ケーブル軸は、ケーブルリールを取り付けた状態で、外枠２０に装着された一対の対立軸サドル３４により支えられるように再配置される。一の実施例では、４８本のケーブルを同時に引くために、４８個のケーブルリールを支えるのに十分な複数のケーブル軸が、外枠２０上で支えられる。ケーブルは、外枠２０に近接して配置された複数のケーブルボックスから直接引き出され、ケーブル選別スレッダー５０を介して供給されてよい。
【００６２】
引っ張られる複数のケーブルは、個々に、ケーブル選別スレッダー５０の複数の穴５２の夫々に挿入される。各ケーブルの引っ張り開始時には、個々のケーブルをまとめて一緒にする。
【００６３】
色分けされた複数のテープロールは、テープロール支柱６０に取り付けられ、テープロール支柱６０は、内枠アーム３０に装着される。次に、テープロール支柱６０上で支えられた複数のテープロールは、テープセグメント化スピンドル４０の上に、且つ複数の穴５２の下に、直接配置される。各テープロールから引き出されたテープは、複数の羽根４２のうちの共通の一つに押し付けられる。テープロール支柱６０は、ケーブル引っ張りの殆どの場合において、一度の動作で二本のテープを切断できる十分なテープロールを保持する。
【００６４】
複数の穴５２、テープロール、及び羽根４２を垂直に並べると、テープを切断して羽根を再配置した後、保持要素５４により羽根保持板５３内部に固定されるように、テープの切断片は、これらのテープ切断片にふさわしいケーブルに対応する穴５２の上に並ぶ。
【００６５】
クランクハンドルを回転させると、テープは、テープセグメント化スピンドル４０の複数の羽根４２の上に更に配置される。回転運動の方向及び量は、歯止め４９により設定される。有利なことに、歯止めにより設定された回転の位置の数は、スピンドル４０上の羽根の数に等しい。
【００６６】
複数の羽根４２の上にテープ断片を移動させて適当な長さのテープの受け取りを完了するようにスピンドル４０が動作された場合、切断ガイドとして各羽根４２の端部を用いることにより、テープ断片は均一な長さに容易に切断できる。その後、第１の羽根４２は、複数の保持クリップ４６から取り外され、羽根保持板５３及びスレッダーの垂直断面の間にこの羽根をはめることにより、ケーブル選別スレッダー５０の最上端の上に固定される。保持要素５４の動作により、板５３を垂直断面に押しつけて、羽根を固定する。
【００６７】
これにより、工具１０を使用している職人が、作業領域から移動することなく且つケーブル敷設を誤認することなく、テープ断片の夫々に識別コードを迅速に書くことができるように、第１の羽根４２（穴一つ当たり二つの切断テープ断片を有する）が配置される。このように印をつけられたテープ断片は、引き出し開始及び引き出し終了テープ断片として働き、引き出される個々のケーブルの開始端及び終了端に正確に移される。このように、ケーブルの開始端及び終了端は正確に識別されることが確実となる。
【００６８】
第１のケーブルの引っ張りの最後に、次の第２の羽根４２を用いて第２のケーブルの引っ張りのためのテープ断片を形成できる。第２の羽根４２をケーブル選別スレッダー５０の最上端に移動させた後、これらの新たなテープ断片を、引っ張られている第２のケーブルに移すことができる。このように、第１のケーブルセットが引っ張られてから、第２のケーブルセットへ、また更なるケーブルセットが引っ張られるまで、ラベルは長さ及び外観に関して一貫している。また、上述のように、複数の穴５２、テープロール、及び羽根４２を垂直に並べると、テープを切断して羽根を再配置した後、保持要素５４により羽根保持板５３内部に固定されるように、テープの切断片（ラベル）は、これらのラベルにふさわしいケーブルに対応する穴５２の上に並ぶ。これにより精度が向上し、誤差が回避される。
【００６９】
ケーブル計測器８０は、ケーブル選別スレッダー５０上の所定の位置に取り付けられ、ケーブルが工具１０から引き出される際のケーブル使用におけるユースポイントリアルタイム測定を提供する。ユースポイント測定により、確実にケーブルが必要な長さに精密に切断され、無駄がなくなる。ねじれた状態の長さが急いで測られて切断された場合でも、ケーブル計測器８０は、正確な測定を行う。上述のように、所望される場合には複数のケーブル計測器をスレッダー５０に取り付けてもよい。
【００７０】
上記の実施例は、本発明の例として提供されたが、本発明の排他的な適用までは拡大されない。上述のように、本発明は、多様なケーブル用途に適用され、異なる仕事及び空間の条件に対し、容易に再構成可能である。
【図面の簡単な説明】
【００７１】
【図１】部分的に組み立てられた状態で使用間近である、本発明の構造化ケーブル敷設工具の一の実施例を示す図である。
【図２】輸送できる状態の本発明の構造化ケーブル敷設工具の一の実施例を示す図である。
【図３】輸送できる状態の本発明の構造化ケーブル敷設工具の他の実施例を示す図である。
【図４】内枠アームに接続するケーブル選別スレッダーの詳細を拡大した、内枠アームとケーブル選別スレッダーを示す図である。
【図５】内枠アームに接続するケーブル選別スレッダーの詳細を拡大した、内枠アームとケーブル選別スレッダーを示す図である。
【図６】回転可能なテープセグメント化スピンドルを示す図である。
【図７】テープロール支柱を示す図である。
【図８】テープセグメント化スピンドルの外側ディスクアセンブリを示す図である。
【図９】複数のケーブル軸を支えた使用できる状態の工具を示す図である。
【図１０】模範的な要素内部に要素がある配列を示す図である。
【符号の説明】
【００７２】
１０  ケーブル敷設工具
２０  外枠
３０  内枠アーム
４０  テープセグメント化スピンドル
５０  ケーブル選別スレッダー
６０  テープロール支柱
７０  車輪
８０  ケーブル計測器
【図１】
2008518574.tif 000003
【図２】
2008518574.tif 000004
【図３】
2008518574.tif 000005
【図４】
2008518574.tif 000006
【図５】
2008518574.tif 000007
【図６】
2008518574.tif 000008
【図７】
2008518574.tif 000009
【図８】
2008518574.tif 000010
【図９】
2008518574.tif 000011
【図１０】
2008518574.tif 000012
【国際調査報告】
2008518574.tif 000013